【手続補正書】
【提出日】平成16年3月5日(2004.3.5)
【手続補正１】
【補正対象書類名】明細書
【補正対象項目名】特許請求の範囲
【補正方法】変更
【補正の内容】
【特許請求の範囲】
【請求項１】
−フレームとともにセルを形成している２枚の面平行の外側基板、
−セル中に存在する正の誘電異方性を有するネマティック液晶混合物、
−外側基板の内面上に積重されている配向層を備えており、矩形波形により各画素をアドレスする電極層、
を備えており、
−外側基板の表面の分子の長軸と外側基板の表面の分子の長軸との間のプレチルト角は約１度〜３０度であり、そして
−配向層から配向層までのセル内の液晶混合物のツィスト角は１００〜６００゜の数値を有し、
ネマティック液晶混合物が本質的に、
ａ）＋１．５より大きい誘電異方性を有する２環状または３環状化合物の１種または２種以上からなる液晶成分Ａ  １５〜５０重量％、
ｂ）−１．５〜＋１．５の誘電異方性を有する２環状または３環状化合物の１種または２種以上からなる液晶成分Ｂ  ０〜４０重量％、
ｃ）トラン−４，４´−ジイル構造要素を有する化合物の３種または４種以上およびターフェニル−４，４´´−ジイル構造要素を有する化合物の少なくとも１種からなる液晶成分Ｔ  ４０〜８０重量％、および
ｄ）層厚さ（面平行外側基板の隔たり）とキラルネマティック液晶混合物のナチュラルピッチとの比が約０．２〜１．３であるような量の光学活性成分Ｄ、
からなり、かつまた当該ネマティック液晶混合物が少なくとも６０℃のネマティック相範囲、２５mPa.sよりも大きくない粘度、少なくとも０．１９５０の複屈折および少なくとも＋１の誘電異方性を有する高度マルチプレックス駆動スーパーツイスト液晶ディスプレイであって（これらの化合物の誘電異方性および当該ネマティック液晶混合物に関連するパラメーターは２０℃の温度に基づくものである）、
上記成分Ｔが式Ｉａ：
【化１】
1997241642.tif 000001
式中、Ｒ1はＣ原子１〜８個を有するアルキル、アルコキシ、アルケニルまたはアルケニルオキシであり、
Ｌ1およびＬ2はそれぞれ独立して、ＨまたはＦであり、
Ｒ2はＦまたはＯＣＦ3であるか、またはＣ原子１〜８個を有するアルキルまたはアルコキシであり、
Ｚは、−ＣＯＯ−、−ＣＨ2ＣＨ2−または単結合であり、そして
ｐは０または１である、
で表わされる化合物の少なくとも３種および式Ｉｂ：
【化２】
1997241642.tif 000002
式中、Ｒ2'はＲ1について示されている意味を有し、ＬaおよびＬbはそれぞれ独立して、ＨまたはＦであり、そしてＸはＦまたはＣｌである、
で表わされる化合物の少なくとも１種からなることを特徴とする、前記液晶ディスプレイ。
【請求項２】
成分Ａが式ＩＩおよび（または）式ＩＩＩ：
【化３】
1997241642.tif 000003
各式中、Ｒは１２個までのＣ原子を有するアルキル、アルコキシ、アルケニルまたはアルケニルオキシであり、
【化４】
1997241642.tif 000004
Ｌ3〜Ｌ8はそれぞれ独立して、ＨまたはＦであり、
Ｚ1は−ＣＯＯ−、−ＣＨ2ＣＨ2−または単結合であり、
Ｚ2は−ＣＯＯ−、−ＣＨ2ＣＨ2−、−Ｃ≡Ｃ−または単結合であり、
ＱはＣＦ2、ＯＣＦ2、ＣＦＨ、ＯＣＦＨまたは単結合であり、
ＹはＦまたはＣｌであり、
ｍは１または２であり、そして
ｎは０または１である、
で表わされる化合物を含有することを特徴とする、請求項１に記載のディスプレイ。
【請求項３】
成分Ａが式ＩＩａ〜ＩＩｄ：
【化５】
1997241642.tif 000005
各式中、Ｒ、Ｌ3およびＬ7は請求項２に定義されている意味を有する、
から選択される化合物の少なくとも１種を含有することを特徴とする、請求項１または２のいずれか１項に記載のディスプレイ。
【請求項４】
成分Ａが式ＩＩＩａ〜ＩＩＩｉ：
【化６】
1997241642.tif 000006
各式中、Ｒは請求項２に定義されている意味を有する、
から選択される化合物の少なくとも１種を含有することを特徴とする、請求項１〜３のいずれか１項に記載のディスプレイ。
【請求項５】
成分Ｂが式ＩＶ１〜ＩＶ９：
【化７】
1997241642.tif 000007
各式中、Ｒ3およびＲ4はＲについて請求項２に定義されている意味を有する、
からなる群から選択される化合物の１種または２種以上を含有することを特徴とする、請求項１〜４のいずれか１項に記載のディスプレイ。
【請求項６】
成分Ｂが式ＩＶ１０〜ＩＶ２４：
【化８】
1997241642.tif 000008
【化９】
1997241642.tif 000009
各式中、Ｒ3およびＲ4は請求項５に定義されている意味を有し、式ＩＶ１０〜ＩＶ１９、式ＩＶ２３および式ＩＶ２４中に存在する１，４−フェニレン基はそれぞれ相互に独立して、１個または２個以上のフッ素により置換されていてもよい、
からなる群から選択される化合物の１種または２種以上を含有することを特徴とする、請求項１〜５のいずれか１項に記載のディスプレイ。
【請求項７】
成分Ｔが式Ｉａ１〜Ｉａ６：
【化１０】
1997241642.tif 000010
各式中、Ｒ1は請求項１に定義されている意味を有し、そしてａｌｋｙｌはＣ原子１〜８個を有するｎ−アルキルである、
からなる群から選択される化合物の５種または６種以上を含有することを特徴とする、請求項１〜６のいずれか１項に記載のディスプレイ。
【請求項８】
成分Ｔが式Ｉａ１a：
【化１１】
1997241642.tif 000011
式中、ｗは１または２であり、そしてｖは１〜７の整数である、
で表わされる化合物の１〜５種を含有することを特徴とする、請求項１〜７のいずれか１項に記載のディスプレイ。
【請求項９】
ネマティック液晶混合物が５〜３０重量％の式Ｉａ１aで表わされる化合物の少なくとも１種を含有することを特徴とする、請求項１〜８のいずれか１項に記載のディスプレイ。
【請求項１０】
式ＩＩａ、式ＩＩｂ、式ＩＩｃ、式ＩＩＩｄおよび式ＩＩＩｈで表わされる化合物から基本的になる液晶成分Ａの１５〜４０重量％、および
式Ｉａにおいて、Ｒ2がＦまたはＯＣＦ3である化合物の少なくとも１種の１０〜２５重量％、
を含有することを特徴とする、請求項１〜９のいずれか１項に記載のディスプレイ。
【請求項１１】
請求項１〜１０のいずれか１項に定義されている組成を有する液晶混合物。
【手続補正２】
【補正対象書類名】明細書
【補正対象項目名】００１３
【補正方法】変更
【補正の内容】
【００１３】
【化１２】
1997241642.tif 000012
式中、Ｒ1はＣ原子１〜８個を有するアルキル、アルコキシ、アルケニルまたはアルケニルオキシであり、
Ｌ1およびＬ2はそれぞれ独立して、ＨまたはＦであり、
Ｒ2はＦまたはＯＣＦ3であるか、またはＣ原子１〜８個を有するアルキルまたはアルコキシであり、
Ｚは、−ＣＯＯ−、−ＣＨ2ＣＨ2−または単結合であり、そして
ｐは０または１である、
で表わされる化合物の少なくとも３種および式Ｉｂ：
【手続補正３】
【補正対象書類名】明細書
【補正対象項目名】００１４
【補正方法】変更
【補正の内容】
【００１４】
【化１３】
1997241642.tif 000013
式中、Ｒ2'はＲ1について示されている意味を有し、ＬaおよびＬbはそれぞれ独立して、ＨまたはＦであり、そしてＸはＦまたはＣｌである、
で表わされる化合物の少なくとも１種からなることを特徴とする高度マルチプレックス駆動スーパーツイスト液晶ディスプレイに関する。
【手続補正４】
【補正対象書類名】明細書
【補正対象項目名】００１５
【補正方法】変更
【補正の内容】
【００１５】
好適な成分Ａは式ＩＩおよび（または）式ＩＩＩ：
【化１４】
1997241642.tif 000014
各式中、Ｒは１２個までのＣ原子を有するアルキル、アルコキシ、アルケニルまたはアルケニルオキシであり、
【手続補正５】
【補正対象書類名】明細書
【補正対象項目名】００１６
【補正方法】変更
【補正の内容】
【００１６】
【化１５】
1997241642.tif 000015
Ｌ3〜Ｌ8はそれぞれ独立して、ＨまたはＦであり、
Ｚ1は−ＣＯＯ−、−ＣＨ2ＣＨ2−または単結合であり、
Ｚ2は−ＣＯＯ−、−ＣＨ2ＣＨ2−、−Ｃ≡Ｃ−または単結合であり、
ＱはＣＦ2、ＯＣＦ2、ＣＦＨ、ＯＣＦＨまたは単結合であり、
ＹはＦまたはＣｌであり、
ｍは１または２であり、そして
ｎは０または１である、
で表わされる化合物を含有しており、
【手続補正６】
【補正対象書類名】明細書
【補正対象項目名】００１７
【補正方法】変更
【補正の内容】
【００１７】
特に成分Ａは式ＩＩａ〜ＩＩｄ：
【化１６】
1997241642.tif 000016
各式中、Ｒ、Ｌ3およびＬ7は上記意味を有する、
から選択される化合物を含有する。
【手続補正７】
【補正対象書類名】明細書
【補正対象項目名】００２２
【補正方法】変更
【補正の内容】
【００２２】
【化１７】
1997241642.tif 000017
【手続補正８】
【補正対象書類名】明細書
【補正対象項目名】００２３
【補正方法】変更
【補正の内容】
【００２３】
【化１８】
1997241642.tif 000018
【手続補正９】
【補正対象書類名】明細書
【補正対象項目名】００２５
【補正方法】変更
【補正の内容】
【００２５】
【化１９】
1997241642.tif 000019
【手続補正１０】
【補正対象書類名】明細書
【補正対象項目名】００２６
【補正方法】変更
【補正の内容】
【００２６】
下記の化合物もまた、好適である：
【化２０】
1997241642.tif 000020
【手続補正１１】
【補正対象書類名】明細書
【補正対象項目名】００２８
【補正方法】変更
【補正の内容】
【００２８】
【化２１】
1997241642.tif 000021
【手続補正１２】
【補正対象書類名】明細書
【補正対象項目名】００２９
【補正方法】変更
【補正の内容】
【００２９】
上記各式において、１，４−フェニレン環はまた、例えば下記の化合物のように１個のフッ素原子によりラテラルに置換されていてもよい：
【化２２】
1997241642.tif 000022
【手続補正１３】
【補正対象書類名】明細書
【補正対象項目名】００３１
【補正方法】変更
【補正の内容】
【００３１】
好ましくは、成分Ｂは２個の環を有する式ＩＶ１〜ＩＶ９からなる群から選択される化合物の１種または２種以上を含有し：
【化２３】
1997241642.tif 000023
【手続補正１４】
【補正対象書類名】明細書
【補正対象項目名】００３２
【補正方法】変更
【補正の内容】
【００３２】
各式中、Ｒ3およびＲ4はＲについて上記した意味を有する、
および（または）３個の環を有する式ＩＶ１０〜ＩＶ２４からなる群から選択される化合物の１種または２種以上を含有し：
【化２４】
1997241642.tif 000024
【手続補正１５】
【補正対象書類名】明細書
【補正対象項目名】００３３
【補正方法】変更
【補正の内容】
【００３３】
【化２５】
1997241642.tif 000025
【手続補正１６】
【補正対象書類名】明細書
【補正対象項目名】００３５
【補正方法】変更
【補正の内容】
【００３５】
【化２６】
1997241642.tif 000026
【手続補正１７】
【補正対象書類名】明細書
【補正対象項目名】００３６
【補正方法】変更
【補正の内容】
【００３６】
上記各式中、Ｒ3およびＲ4は上記の意味を有し、そしてＩＶ２５〜ＩＶ３０中に存在する１，４−フェニレン基はそれぞれ相互に独立して、置換基として１個または２個以上のフッ素を有していてもよい。
いずれの場合も、本発明によるネマティック混合物は式ＩＶ２５〜ＩＶ３０で表わされる化合物の１種または２種以上を５重量％までの量で、好ましくは１〜４重量％の量で含有する。
本発明のＬＣ混合物はまた、光学活性成分Ｄを含有し、この成分の含有量はキラルネマティック液晶混合物の層厚さ（面平行担持基板の隔たり）とナチュラルピッチとの比が望ましいツィスト角に適する０．２より大きくなるような量である。適当なドーピング剤は広く種々の公知キラル物質および市販のドーピング剤、例えばコレステリルノナノエート、Ｓ−８１１(Merck KGaA,Darmstadt,FRG)およびＣＢ１５(Merck Ltd.,前BDH,Poole,UK)から選択することができる。その選択にはそれ自体制限はない。


【手続補正１８】
【補正対象書類名】明細書
【補正対象項目名】００３７
【補正方法】変更
【補正の内容】
【００３７】
追加の好適態様において、本発明のＬＣ混合物は下記式Ｉａ１〜Ｉａ６からなる群から選択される化合物の５種または６種以上を含有する：
【化２７】
1997241642.tif 000027
【手続補正１９】
【補正対象書類名】明細書
【補正対象項目名】００３９
【補正方法】変更
【補正の内容】
【００３９】
【化２８】
1997241642.tif 000028
【手続補正２０】
【補正対象書類名】明細書
【補正対象項目名】００４０
【補正方法】変更
【補正の内容】
【００４０】
末端フッ素化されている非トラン型化合物全部の総合割合は、好ましくは約５％〜２５％、特に約１０〜２０％である。
好適成分Ｔは下記式Ｔ３で表わされる化合物の１種または２種以上を含有する：
【化２９】
1997241642.tif 000029
【手続補正２１】
【補正対象書類名】明細書
【補正対象項目名】００４１
【補正方法】変更
【補正の内容】
【００４１】
式中、Ｒ4'は、−ＣuＨ2u+1、−ＯＣuＨ2u+1、
【化３０】
1997241642.tif 000030
ｕは１〜１５の整数であり、
Ｌ9およびＬ10はそれぞれ相互に独立して、ＨまたはＦであり、そして
Ｘaは、Ｆ、ＣｌまたはＯＣＦ3である。
【手続補正２２】
【補正対象書類名】明細書
【補正対象項目名】００４２
【補正方法】変更
【補正の内容】
【００４２】
さらに特に好適な態様において、本発明の混合物は下記の成分を含有する：
式Ｉａにおいて、ｐが０である化合物の２種または３種以上、特に式Ｉａ１および（または）式Ｉａ２で表わされる化合物の少なくとも２種、特に下記式Ｉａ１aで表わされる化合物の１種〜５種の５〜３０重量％：
【化３１】
1997241642.tif 000031
式中、ｗは１または２であり、そしてｖは１〜７の整数である；
【手続補正２３】
【補正対象書類名】明細書
【補正対象項目名】００４３
【補正方法】変更
【補正の内容】
【００４３】
式Ｉａにおいて、ｐが１である化合物の２種または３種以上、好ましくは式Ｉａ４で表わされる化合物の少なくとも２種の１０〜４０重量％：
下記群からの化合物の少なくとも１種：
【化３２】
1997241642.tif 000032
【手続補正２４】
【補正対象書類名】明細書
【補正対象項目名】００４５
【補正方法】変更
【補正の内容】
【００４５】
【化３３】
1997241642.tif 000033
【手続補正２５】
【補正対象書類名】明細書
【補正対象項目名】００４７
【補正方法】変更
【補正の内容】
【００４７】
【化３４】
1997241642.tif 000034
各式中、Ｒ2'は式Ｉｂで表わされる化合物について定義されているとおりであり、そしてＲ3は式ＩＶ１〜ＩＶ９で表わされる化合物について定義されているとおりである。
【手続補正２６】
【補正対象書類名】明細書
【補正対象項目名】００４９
【補正方法】変更
【補正の内容】
【００４９】
本発明によるディスプレイは、例えばシェーファー(T.J.Scheffer等)によりDisplays,Vol.14(2)(1993),74〜85頁に記載されているように、矩形波形によりアドレスされる。
しかしながら、本発明による表示素子とねじれネマティックセルに基づく従来慣用の表示素子との基本的相違点は、その液晶層における液晶成分の選択にある。
本発明に従い使用することができる液晶混合物は、それ自体慣用の方法で製造される。一般に、比較的少量で使用される成分の所望量を基本成分を構成する成分中に、有利には高められた温度で溶解させる。成分の有機溶剤、例えばアセトン、クロロホルムまたはメタノール中の溶液を混合し、次いで混合後に、溶剤を、例えば蒸留により再除去することもできる。
本発明に従う誘電体はまた、当業者に公知であって、刊行物に記載されている追加の添加剤を含有することができる。例えば、０〜１５％の多色性染料を添加することができる。


【手続補正２７】
【補正対象書類名】明細書
【補正対象項目名】００５４
【補正方法】変更
【補正の内容】
【００５４】
表Ａ：
【化３５】
1997241642.tif 000035
【手続補正２８】
【補正対象書類名】明細書
【補正対象項目名】００５５
【補正方法】変更
【補正の内容】
【００５５】
表Ｂ：
【化３６】
1997241642.tif 000036